(57)【特許請求の範囲】
【請求項１】
ケーシング内で常時巻取方向に回転するように回動付勢されたスプールに引出可能な状態で巻き取られた糸部材と、ケーシング外へ導かれた糸部材の先端に取り付けられた小道具係止用スナップとを有する小道具装着具を備えたピンオンリールにおいて、
２つの小道具装着具が装備され、
一方の小道具装着具のスプールの中心を支持する第１支持軸及び他方の小道具装着具のスプールの中心を支持すると共に第１支持軸と係合する第２支持軸を有し、一方の小道具装着具のスプールの回動中心軸線と他方の小道具装着具のスプールの回動中心軸線とをケーシング内で同軸上に配置するための位置決め構造を有することを特徴とするピンオンリール。
【請求項２】
請求項１記載のピンオンリールにおいて、
上記第１支持軸は、一方の小道具装着具のスプールを支持する一方スプール支持部と、当該一方スプール支持部に設けられた位置決め用凸部とを有し、
上記第２支持軸は、他方の小道具装着具のスプールを支持する他方スプール支持部と、当該他方スプール支持部に設けられた位置決め用凹部とを有し、
上記位置決め用凸部と位置決め用凹部とが嵌合されていることを特徴とするピンオンリール。
【発明の詳細な説明】
【０００１】
【発明の属する技術の分野】
この発明は、たとえば魚釣り等において釣人が魚釣用小道具を携帯しておくためのピンオンリールに関するものである。
【０００２】
【従来の技術および発明が解決しようとする課題】
たとえば魚釣りを行う場合等においては、ラインカッターや針外し等の魚釣用小道具は、釣人が常時携帯しておくのが便利である。このため、従来から魚釣用小道具を衣類（ライフジャケット等）に装着しておくためにピンオンリールが提供されている。従来のピンオンリールは、一般に図７のような構成である。
【０００３】
同図を参照して、ピンオンリール１は、ステンレス鋼等により形成されたケーシング２に、引出糸３が予め巻き取られたスプール（図示せず）が内蔵されており、この引出糸３の先端に小道具を取り付けるためのスナップ４が取り付けられている。ケーシング２は、基板５とこれに被せられるカバー６とを有し、これらがビス７によって締結されている。基板５の裏側には通常安全ピン（図示せず）が取り付けられており、ピンオンリール１は、この安全ピンを用いて衣類（ライフジャケット等）に固定されるようになっている。
【０００４】
引出糸３は、スプールに対して常時巻き取られる方向（ケーシング２に引き戻される方向）に弾性的に引っ張られている。このため、スナップ４に取り付けられた魚釣用小道具を使用する際には、引出糸３を矢印８の方向に手で引っ張ってケーシング２から引き出し、使用後は自動的に引出糸３が引き戻されて魚釣用小道具がケーシング１側に巻き戻されるようになっている。
【０００５】
ところで、従来のピンオンリール１では、小道具を取り付けるためのスナップ４が唯一設けられているだけであるため、魚釣用小道具は一つしか取り付けることができない。このため、たとえば魚釣りにおいては、ラインカッターと針はずしとは常に携帯しておきたいところであるが、異なる場合に用いるこの２つを携帯するには、一方の小道具をライフジャケットのポケット等に入れておく必要があった。もっとも、複数の魚釣用小道具を携帯するために複数のピンオンリールを装着すればよいが、これではピンオンリールが邪魔になって釣りそのものがしにくくなるという問題がある。
【０００６】
そこで、本発明の目的は、複数の小道具を携帯することができるピンオンリールを提供することである。
【０００７】
【課題を解決するための手段】
(1) 上記目的を達成するため、本願第１の発明に係るピンオンリールは、ケーシング内で常時巻取方向に回転するように回動付勢されたスプールに引出可能な状態で巻き取られた糸部材と、ケーシング外へ導かれた糸部材の先端に取り付けられた小道具係止用スナップとを有する小道具装着具を備えたピンオンリールにおいて、上記小道具装着具が複数装備されている。
【０００８】
(2) 上記小道具装着具は、２つ対向配置されており、一対の小道具係止用スナップは、ケーシングに対して放射状に配置されているのが好ましい。
【０００９】
(3)  一方の小道具装着具のスプールの回動中心軸線と他方の小道具装着具のスプールの回動中心軸線とをケーシング内で同軸上に配置するための位置決め構造を有する。
【００１０】
(4)  上記位置決め構造は、一方の小道具装着用のスプールの中心を支持する第１支持軸と、他方の小道具装着用のスプールの中心を支持すると共に第１支持軸と係合する第２支持軸とを有する。
【００１１】
この構成によれば、小道具装着具が複数設けられているので、各小道具係止用スナップに複数種類の小道具を取り付けることができる。そして、それぞれの小道具について、独立してケーシングから引き出して使用することができ、使用後は糸部材がケーシング内のスプールに自動的に巻き取られ、小道具をケーシング側へ引き戻しておくことができる。
【００１２】
小道具係止用スナップが放射状に配置されると、各小道具係止用スナップに取り付けた小道具を使用する場合に、糸部材を互いに異なる方向へ引っ張ることになるので、各小道具係止用スナップに取り付けた小道具同士が当接し合うことがなく、使い勝手が向上する。しかも、小道具装着具を２つ設けているから、特に魚釣りにおいて使用する場合には、ラインカッターと針外しの両方を携帯しておくことができる。
【００１３】
加えて、２つの小道具装着具を対向配置したことにより、糸部材を引き出す際に両小道具装着具のスプールを互いに反対方向へ回転させることが可能となる。これにより、仮に一方のスプールから糸部材を引き出したことによって当該スプールが回転し、これに追従するように他方のスプールが強制的に回転させられた場合であっても、当該他方のスプールは、糸部材を巻き戻す方向に回転させられることになる。したがって、両スプールを別々に、または同時に回転させた場合であっても、ケーシング内での糸部材の絡みつき等を防止することができる。
【００１４】
上記位置決め構造により、２つの小道具装着具がケーシング内で同軸上に対向配置することができるので、全体をコンパクトに設計することが可能である。
【００１５】
スプールの中心において一方側のスプールの第１支持軸と、他方側のスプールの第２支持軸とを係合させることにより両者の位置決めを達成するものであるから位置決め構造を簡単にすることができ、コスト安価に位置決め構造を構成することができる。
【００１６】
(5)  上記目的を達成するため、本願第２の発明に係るピンオンリールは、上記第１の発明において、上記第１支持軸は、一方の小道具装着具のスプールを支持する一方スプール支持部と、当該一方スプール支持部に設けられた位置決め用凸部とを有し、上記第２支持軸は、他方の小道具装着具のスプールを支持する他方スプール支持部と、当該他方スプール支持部に設けられた位置決め用凹部とを有し、上記位置決め用凸部と位置決め用凹部とが嵌合されていることを特徴とするものである。
【００１７】
この構成によれば、特に第１支持軸の位置決め用凸部と第２支持軸の位置決め用凹部との嵌合構造により位置決めを達成するから、両スプールの位置決めを確実に行うことができる。しかも、第１支持軸および第２支持軸は、それぞれ一方スプール支持部および他方スプール支持部を有しているから、両スプールが独立して支持され、その回転をスムーズなものとすることが可能となる。
【００１８】
(6) 上記目的を達成するため、本願第３の発明に係るピンオンリールは、上記第１の発明において、上記位置決め構造は、上記ケーシング内部に立設され、両スプールを同軸上に配置する位置決め軸を唯一備えていることを特徴とするものである。
【００１９】
この構成によれば、唯一設けられた位置決め軸によって両スプールを支持するものであるから、位置決め構造が簡単となり、しかもケーシング内での両スプールの位置決めを確実に行うことができる。加えて、位置決め構造を簡単にできることから、コスト安価に位置決め構造を構成することができる。
【００２０】
(7) 上記目的を達成するため、本願第４の発明に係るピンオンリールは、上記第３の発明において、各スプールの間に、スプール同士の摩擦を回避する摺動部材が配置されていることを特徴とするものである。
【００２１】
この構成によれば、摺動部材によってスプール同士の摩擦が回避されるから、各スプールを円滑に回転させることができる。
【００２２】
(8) 上記目的を達成するため、本願第５の発明に係るピンオンリールは、上記第３または第４の発明において、上記ケーシングは、本体とこれに被せられる蓋部材とを備え、上記位置決め軸は、本体に一体的に延設され、蓋部材は、本体と嵌合した状態で位置決め軸に締結されていることを特徴とするものである。
【００２３】
この構成によれば、本体に一体的に設けられた位置決め軸に各スプールを装着し、この本体に対して蓋部材を締結するだけで、ピンオンリールを簡単に組み立てることができる。しかも、ケーシングを構成する部品点数を減少させて、ピンオンリールの製造コストも低減できる。
【００２４】
【発明の実施の形態】
以下、本発明の実施の形態について説明する。
＜第１の実施形態＞
図１は、本発明の一実施形態に係るピンオンリール１０の正面図であり、図２は側面図である。これらの図を参照して、ピンオンリール１０の概略構成について説明する。
【００２５】
ピンオンリール１０は、ケーシング１１と、ケーシング１１に引出自在に設けられた２つの小道具装着具（以下、単に「装着具」という。）１２，１３とを備えている。図に示すように、ケーシング１１は、第１筒状部材１４および第２筒状部材１５を有し、これらが互いに対向した状態で固着されることにより構成されている。
【００２６】
一方の装着具１２は、ケーシング１１の一方側（第１筒状部材１４側）に設けられており、他方の装着具１３は、ケーシング１１の他方側（第１２筒状部材１５側）に設けられている。各装着具１２，１３は、後述する引出糸１６，１７（図１，図２では図示せず）と、この先端に設けられた小道具係止用スナップ（以下、単に「スナップ」という。）１８，１９とを有している。なお、第２筒状部材１５の底面部２０には、安全ピン２１が設けられており、これにより、ピンオンリール１０を衣類に装着固定することができるようになっている。
【００２７】
本実施形態に係るピンオンリール１０は、たとえば魚釣りの際に使用することができ、当該ピンオンリール１０を衣類（ライフジャケット等）に装着し、上記スナップ１８，１９に所要の小道具（ラインカッターや針外し等）を取り付けておくことにより、魚釣りの最中にラインを切ったり、魚に掛かった針を外す動作を円滑に行うことができるようになっている。以下、ピンオンリール１０の構造について詳しく説明する。
【００２８】
図３は、ピンオンリール１０の分解斜視図であり、ピンオンリール１０の内部構造を詳細に示している。また、図４は、ピンオンリール１０の断面図であり、ピンオンリール１０の組立状態の構造を示すものである。なお、図４では、安全ピン２１の図示は省略している。
【００２９】
図３を参照して、参照符号２２は、一方の装着具１２が収容された第１筒状部材１４側の中心軸線を示し、参照符号２３は、他方の装着具１３が備えられた第２筒状部材１５側の中心軸線を示している。図３は分解斜視図であるため、両中心軸線２２，２３が９０度の角度をもって交差しているが、実際にはこれら中心軸線２２，２３が同一直線上に配置され、第１筒状部材１４と第２筒状部材１５が対向した状態で組み立てられている（図１，図２参照）。
【００３０】
ピンオンリール１０は、上述したように、(1)両筒状部材１４，１５を有するケーシング１１と、(2)第２筒状部材１５側に設けられた安全ピン（図２参照）２１および装着具１３と、(3)第１筒状部材１４側に設けられた装着具１２と、(4)装着具１２，１３の間に介在されたワッシャ２４および摺動板２５とを有している。なお、図３では、ケーシング１１と両装着具１２，１３との組立構造を説明するために、第１筒状部材１４側部分についてさらに詳細な部分分解斜視図を示しているが、第２筒状部材１５側部分の組立構造においても、第１筒状部材１４側部分の組立構造と同様である。そこで、まず第１筒状部材１４側部分に注目してその構造について説明する。
【００３１】
第１筒状部材１４は、上記ケーシング１１の右側部分であって（図２参照）、図に示すように前面が開放された短筒状の部材である。第１筒状部材１４は、たとえば錆に強いステンレス鋼により構成することができる。第１筒状部材１４の壁面部２６には、小孔２７が形成されている。この小孔２７は、壁面部２６を貫通して形成されており、小孔２７に引出糸１６（糸部材）が挿通されるようになっている。なお、図３では説明をしやすくするために、引出糸１６が小孔２７に挿通された状態となっていないが、実際は、引出糸１６が第１筒状部材１４の内部で小孔２７に挿通された後、その先端にスナップ１８が取り付けられるようになっている（図１，図２参照）。
【００３２】
また、第１筒状部材１４は、その底部２８に支持軸２９（第１支持軸）を有している。この支持軸２９は、後述する装着具１２のスプール３０を支持するためのものであって、図に示すように円柱状に形成されている。支持軸２９は、ねじ３１によって底部２８の中央に締結固定されている。
【００３３】
支持軸２９は、大径の支持部３２（一方スプール支持部）と、支持部３２の先端面に立設された小径の係合柱３３とを有している。この係合柱３３は、その中心部に軸方向に形成された係合孔３４（位置決め用凹部）を有している。この係合孔３４は、後述する第２筒状部材１５側の係合凸部３５（位置決め用凸部）と嵌め合わされるようになっている。
【００３４】
さらに、支持部３２には、その先端面から軸方向にスリット状の切欠溝３６が形成されている。この切欠溝３６は、後述する渦巻きバネ（以下、単に「バネ」という。）３７の基端部３８を挿入して係止するためのものである。
【００３５】
次に、装着具１２は、上記スプール３０と、これに巻回された引出糸１６と、引出糸１６の先端に取り付けられたスナップ１８と、スプール３０を矢印３９の方向に回動させるように常に弾性的に付勢するバネ３７とを有している。
【００３６】
スプール３０は、たとえば合成樹脂やステンレス鋼により構成することができる。スプール３０は、図に示すように円環部４０と、円環部４０の両端に形成されたフランジ部４１とを有しており、引出糸１６は、円環部４０の外周面に巻き付けられている。スプール３０の外径寸法は、上記筒状部材１４の内径に対応しており、スプール３０は、筒状部材１４の内部に回転自在な状態でぴったりと収容されている。スプール３０の後端面には、軸挿通孔５５が設けられており、この軸挿通孔５５に支持部３２が挿通されることにより、スプール３０が支持軸２９によって回動自在に支持されるようになっている。
【００３７】
引出糸１６は、たとえばナイロン、綿、ステンレス鋼等により構成することができる。引出糸１６は、その長さを適当に決定することができるが、釣人が釣りの最中に使用することを考慮すると、５０cm程度あれば十分である。
【００３８】
バネ３７は、たとえば板状のバネ鋼を巻回して構成することができる。ただし、錆対策として、バネ３７をステンレス鋼により構成することもできる。そして、このように巻回形成されたバネ３７は、スプール３０の円環部４０の内部に収容されている。すなわち、筒状部材１４の内部にスプール３０を収容し、このスプール３０の内部にバネ３７を収容する。このとき、バネ３７の基端部３８を筒状部材１４側の上記切欠部３６に挿入して当該基端部３８を切欠部３６によって保持させる。
【００３９】
これにより、バネ３７の基端部３８は筒状部材１４側に保持され、バネ３７はある程度巻き回された状態でその先端部４２がスプール３０側に押し付けられて係止される。したがって、スプール３０は、常に上記矢印３９の方向、すなわち、引出糸１６を巻き取る方向に弾性付勢されることになる。そして、この状態で引出糸１６を引っ張れば、バネ３７がさらに巻き進められてスプール３０が矢印３９と反対方向に回転し、これにより、引出糸１６がケーシング１１外へ引き出されるようになっている。
【００４０】
スナップ１８は、ベース４３と、これに取り付けられたＵ型ピン４４とを有している。ベース４３およびＵ型ピン４４は、共に錆の発生を考慮してステンレス鋼により構成することができる。ベース４３の先端部には上記引出糸１６が固着されている。この固着は、接着剤等を採用することができるが、ベース４３に孔を開けて、これに引出糸１６を結びつけるようにしてもよい。
【００４１】
また、Ｕ型ピン４４は、その一端部４５がベース４３に回動自在に取り付けられている。この取付構造は、たとえばベース４３に対して上記一端部４５を回動中心ピン４６を介して連結することにより構成することができる。
【００４２】
Ｕ型ピン４４の他端部４７は、ベース４３の所定部に係合することができるようになっている。すなわち、図３に示す状態からＵ型ピン４４の他端部４７を押圧して一端部４５側へ弾性変形させ、その状態で矢印４８の方向へ回動させることにより、スナップ１８を開放することができる。また、開放状態から上記矢印と反対方向にＵ型ピン４４を回動させることにより、Ｕ型ピン４４の他端部４７がベース４３に係合し、スナップ１８を閉じることができるようになっている。
【００４３】
一方、第２筒状部材１５は、第１筒状部材１４と同様の構成であって、支持軸４９（第２支持軸）がねじ３１（図２参照）によって第２筒状部材１５の底部に締結されている。
【００４４】
また、図２を参照して、上述したように第２筒状部材１５には、上記安全ピン２１が固定されている。この安全ピン２１は、ブラケット部５０と、これに設けられた針部５１とを有しており、一般に市販されているものを採用することができる。そして、針部５１を衣類に突き刺した後、ブラケット部５０に保持させることにより、ピンオンリール１０を衣類に固定することができるようになっている。なお、本実施形態では、ブラケット部５０は、ねじ３１により、上記支持軸４９と共に筒状部材１５に共締めされている。
【００４５】
再び図３を参照して、支持軸４９は、装着具１３側のスプール５２を支持するためのものであって、図に示すように円柱状に形成されている。支持軸４９は、大径の支持部５３（他方スプール支持部）と、支持部５３の端面に立設された小径の係合凸部３５（位置決め用凸部）とを有している。
【００４６】
図４も同時に参照して、係合凸部３５は、上記係合柱３３の係合孔３４に所定のはめあいで嵌め込まれるようになっている。そして、図４に示すように、係合凸部３５と係合孔３４とが嵌め込まれると、支持軸２９と支持軸４９との両者間の位置決めがなされ、その結果、これらによって支持されるスプール３０，５２の相対的位置が決定されると共に、両スプール３０，５２にがたつきが生じるのを防止することができる。このように、本実施形態では、支持軸２９と支持軸４９とにより、スプール３０，５２の相対的位置決めを行っている。
【００４７】
ここで、図３に示すように、各スプール３０，５２は、互いに対抗配置されているから、一方のスプール３０が装着具１２を引き出す方向に回転した場合には、これに追従するように他方のスプール５２が回転しようとする。しかし、この場合の他方のスプール５２の回転方向は、一方のスプール３０の回転方向と逆方向、すなわち、装着具１３がスプール５２に巻き取られる方向である。
【００４８】
したがって、仮に一方のスプール３０が回転することにより、スプール５２側に意図しない回転が生じたとしても、装着具１３を巻き戻す方向に回転するから、ケーシング１１内で引出糸１６，１７が絡み合うという不都合を回避することができる。
【００４９】
また、スプール５２，引出糸１７，バネ５４，スナップ１９の構成については上述した通りであるから、必要な部分に上述したと同様の参照符号を付してその説明は省略する。
【００５０】
次に、ワッシャ２４は、図４に示すように支持部３２に嵌め込まれており、摺動板２５がワッシャ２４の外側で、両スプール３０，５２の間に介在されている。
このように摺動板２５が設けられているので、両スプール３０，５２が独立して同時に回転した場合であっても、各スプール３０，５２同士が直接こすれ合うことがなく、円滑な回転を実現することができる。なお、上記摺動板２５は、スプール３０，５２との摩擦抵抗の低いもの、たとえば合成樹脂等により構成することができる。
【００５１】
そして、このような装着具１２，１３を、それぞれ第１筒状部材１４および第２筒状部材１５に嵌め込み、両筒状部材１４，１５を互いに対向させた状態で固着する。この固着手段としては、たとえば接着剤を採用することもできるし、溶接等を採用することができる。
【００５２】
以上のような構成を有するピンオンリール１０によれば、装着具１２，１３が設けられているので、たとえば釣人が釣りをする際に、スナップ１８，１９に複数種類の小道具（たとえばラインカッターと針外し）を取り付けてこれらを常に携帯することができ、釣りを円滑に進めることが可能となる。
【００５３】
しかも本実施形態では、支持軸２９と支持軸４９とからなる位置決め構造により、２つの装着具１２，１３がケーシング１１内で同軸上に対向配置されている。したがって、ピンオンリール１０全体をコンパクトに設計することができるという利点がある。さらに、本実施形態では、図１に示すように、装着具１２，１３が放射状に、すなわちスナップ１８，１９が放射状に配置されている。具体的には、スナップ１８とスナップ１９とは、ケーシング１１に対して略９０度の角度をもって配置されている。これにより、スナップ１８，１９に取り付けたラインカッターおよび針外しを使用する場合に、引出糸１６，１７を互いに異なる方向へ引っ張ることになるので、ラインカッターおよび針外しを使用する際に、これらが当接し合うことがなく、使い勝手が向上する。もっとも、スナップ１８とスナップ１９との角度は、９０度に限定されるものではなく、他の角度を採用することもできる。
【００５４】
加えて、２つの装着具１２，１３を対向配置させたことにより、引出糸１６，１７を引き出す際に両装着具１２，１３のスプール３０，５２を互いに反対方向へ回転させることができるから、上述したようにスプール３０の回転によってスプール５２が強制的に回転されることを防ぐことができ（その逆も同様）、装着具１２，１３を別々に、または同時に操作したとしても、ケーシング１１内での引出糸１６，１７の絡みつきを防止することができる。
【００５５】
特に、支持軸２９の係合孔３４と支持軸４９の係合凸部３５との嵌合構造により位置決めを達成するから、両スプール３０，５２の位置決めを確実に行うことができる。しかも、支持軸２９および支持軸４９は、それぞれ各スプール３０，５２を支持するための支持部３２および支持部５３を有しているから、両スプール３０，５２を独立して支持し、その回転をスムーズに行わしめることができるという利点がある。さらに、第１筒状部材１４および第２筒状部材１５とがたとえばねじ等で締結される場合は、ピンオンリール１０の分解掃除等のメンテナンスも可能となる。その場合、本実施形態では、第１筒状部材１４および第２筒状部材１５とは嵌合構造を採用しているから、分解も容易である。
＜第２の実施形態＞
次に、本発明の第２の実施形態について説明する。
【００５６】
図５は、本発明の第２の実施形態に係るピンオンリール６０の構造を示す断面図である。
【００５７】
同図を参照して、本実施形態に係るピンオンリール６０は、上記第１の実施形態に係るピンオンリール１０と同様に、装着具１２，１３（図５では図示せず）がケーシング６１内で所定の位置決め構造６２により対抗配置されると共に、２つのスナップ１８，１９（図５では図示せず）が放射状に配置されている。
【００５８】
本実施形態に係るピンオンリール６０が第１の実施形態に係るピンオンリール１０と異なる点は、上記位置決め構造６２が両スプール３０，５２を同軸上に配置する唯一の位置決め軸６３を有している点である。以下、ピンオンリール６０について説明する。なお、図５において、図１ないし図４で示したものと同様の構成については同様の参照符号を付してその説明を省略する。
【００５９】
ピンオンリール６０は、ケーシング６１を備えている。このケーシング６１は、本体６４と、これに被せられる蓋部材６５とを有している。
【００６０】
本体６４は、たとえば合成樹脂やステンレス鋼等により構成することができ、底板部６６と、上記位置決め軸６３とを備えている。
【００６１】
底板部６６は、円形の部材であって、その周縁部に段付部６７が形成されたフランジ６８が形成されている。また、底板部６６の中央部に上記位置決め軸６３が一体的に立設されている。この位置決め軸６３は、底板部６６に対して垂直な方向に延びるように設けられている。さらに位置決め軸６３には、スリット状の切欠溝７１が形成されている。この切欠溝７１は、位置決め軸６３の先端部７２から基端側（底板部６６側）へ延びており、この切欠溝７１に上記バネ３７の基端部（図３参照）が装着されるようになっている。
【００６２】
また、底板部６６の裏面７４の中央部に、ねじ孔が形成されている。そして、図に示すように、ボルト７５をねじ孔にねじ込むことにより、安全ピン２１が底板部６６の裏面７４に締結されている。
【００６３】
一方、蓋部材６５は、たとえばステンレス鋼板等により構成することができ、筒状に形成されている。図に示すように蓋部材６５は、本体６４にぴったりと被せることができる。蓋部材６５の上面６９には、ねじ挿通孔７０が形成されている。このねじ挿通孔７０は、ボルト７３を挿通させるためのものであり、蓋部材６５の開口側周縁部を本体６４の上記段付部６７に嵌め込んでボルト７３を締め付けることにより、蓋部材６５が本体６４に締結されるようになっている。
【００６４】
次に、各スプール３０，５２は、上記位置決め軸６３によって位置決めがなされている。すなわち、スプール３０，５２の後端面には軸挿通孔５５が形成されているが、この軸挿通孔５５に位置決め軸６３がぴったりと挿通されている。
【００６５】
また、各スプール３０，５２の間およびスプール５２の前端側には、摺動部材７６が配置されている。この摺動部材７６は円盤状に形成されており、中央に貫通孔７７が形成されている。そして、この貫通孔７７に位置決め軸６３がぴったりと挿通されており、これにより、摺動部材７６が位置決めされている。つまり、唯一の位置決め軸６３によって、各スプール３０，５２および摺動部材７６が同軸上で位置決めされている。なお、摺動部材７６は、スプール３０，５２との摩擦抵抗が低いものが好ましく、たとえばナイロンやポリプロピレン等の樹脂を採用することができる。
【００６６】
この第２の実施形態に係るピンオンリール６０によれば、上記第１の実施形態に係るピンオンリール１０と同様に、次のような作用効果を奏する。
【００６７】
まず、装着具１２，１３が設けられているから、たとえば釣人が釣りをする際に、スナップ１８，１９に複数種類の小道具（たとえばラインカッターと針外し）を取り付けてこれらを常に携帯することができ、釣りを円滑に進めることができる。
【００６８】
また、装着具１２，１３が放射状に、すなわちスナップ１８，１９が放射状に配置されている（図１参照）から、スナップ１８，１９に取り付けたラインカッターおよび針外しを使用する場合に、引出糸１６，１７を互いに異なる方向へ引っ張ることになるので、ラインカッターおよび針外しを使用する際に、これらが当接し合うことがなく、使い勝手が向上する。
【００６９】
さらに、２つの装着具１２，１３を対向配置させたことにより、引出糸１６，１７を引き出す際に両装着具１２，１３のスプール３０，５２を互いに反対方向へ回転させることができる。これにより、スプール３０の回転によってスプール５２が強制的に回転されることを防ぐことができるから（その逆も同様）、装着具１２，１３を別々に、または同時に操作したとしても、ケーシング１１内での引出糸１６，１７の絡みつきを防止することができる。
【００７０】
特に、本実施形態に係るピンオンリール６０では、次のような作用効果を奏する。
【００７１】
唯一設けられた位置決め軸６３によって両スプール３０，５２を支持するものであるから、位置決め構造がきわめて簡単かつコスト安価なものとなる。しかも、装着具１２，１３をケーシング６１内で対向配置することができるから、ピンオンリール６０全体をコンパクトに設計することができる。
【００７２】
また、摺動部材７６によってスプール３０，５２同士の摩擦が回避されるから、各スプール３０，５２を円滑に回転させることができ、ラインカッター等の小道具の引き出し、収納を円滑に行うことができる。
【００７３】
さらに、本体６４に位置決め軸６３が一体的に設けられているから、ピンオンリール６０の構成部品点数を減少させ、製造コストを低減させることができる。さらに、ピンオンリール６０の組み立てについては、位置決め軸６３に各スプール３０，５２を装着し、本体６４に対して蓋部材６５を締結するという簡単な作業であるから、組み立てまたは分解作業も容易である。
【００７４】
次に、本実施形態の変形例について説明する。
【００７５】
図６は、第２の実施形態の変形例に係るピンオンリール８０の構造を示す断面図である。
【００７６】
変形例に係るピンオンリール８０が上記ピンオンリール６０と異なる点は、ピンオンリール６０のケーシング６１が本体６４と蓋部材６５とからなり、蓋部材６５がいわゆる製缶ものにより構成されていたのに対し、ピンオンリール８０のケーシング８１は、樹脂製の本体８２と蓋部材８３とからなる点である。なお、その他の構成についてはピンオンリール６０と同様であるので、同様の構成については図６において図５と同様の参照符号を付してその説明を省略する。
【００７７】
本変形例においては、本体８２と蓋部材８３とは、いわゆるインロー嵌合により嵌め合わされている。そして、蓋部材８３は、本体８２に一体的に形成された位置決め軸６３にボルト７３を用いて締結されている。なお、本変形例では、摺動部材７６がスプール３０，５２の間に１つだけ配置されているが、図５に示したように、スプール３０の外側にも配置することができる。
【００７８】
本変形例によれば、ケーシング８１を樹脂成形により形成することができるから、蓋部材６５を製缶ものにより構成する場合に比べてケーシング８１の組立精度を向上させることができる。
【００７９】
なお、上記各実施形態およびその変形例では、ピンオンリール１０，６０，８０に装着具１２，１３を２つ設けた態様を示したが、これに限らず複数の装着具を設けることもできる。また、ピンオンリール１０，６０，８０の用途についても魚釣りに限定されることなく、他のアウトドアスポーツその他の用途に使用することが可能である。
【００８０】
【発明の効果】
以上のように本願発明によれば、複数の小道具を独立して自在に引き出しで使用することができ、使用後は、自動的にケーシング側へ引き戻しておくことができる。特に、魚釣用として使用する場合は、ラインカッターや針外しを独立してライフジャケット等に装着しておくことができ、釣りを円滑に進め楽しむことができる。
【図面の簡単な説明】
【図１】本発明の第１の実施形態に係るピンオンリールの正面図である。
【図２】本発明の第１の実施形態に係るピンオンリールの側面図である。
【図３】本発明の第１の実施形態に係るピンオンリールの分解斜視図である。
【図４】本発明の第１の実施形態に係るピンオンリールの断面図である。
【図５】本発明の第２の実施形態に係るピンオンリールの断面図である。
【図６】本発明の第２の実施形態の変形例に係るピンオンリールの断面図である。
【図７】従来のピンオンリールの外観斜視図である。
【符号の説明】
１０  ピンオンリール
１１  ケーシング
１２  装着具
１３  装着具
１４  筒状部材
１５  筒状部材
１６  引出糸
１７  引出糸
１８  スナップ
１９  スナップ
２１  安全ピン
２２  中心軸線
２３  中心軸線
２４  ワッシャ
２５  摺動板
２７  小孔
２９  支持軸
３０  スプール
３２  支持部
３４  係合孔
３５  係合凸部
３７  バネ
４９  支持軸
５２  スプール
５３  支持部
６０  ピンオンリール
６１  ケーシング
６３  位置決め軸
６４  本体
６５  蓋部材
８０  ピンオンリール
８１  ケーシング
８２  本体
８３  蓋部材
【図１】
0004338287.tif 000002
【図２】
0004338287.tif 000003
【図３】
0004338287.tif 000004
【図４】
0004338287.tif 000005
【図５】
0004338287.tif 000006
【図６】
0004338287.tif 000007
【図７】
0004338287.tif 000008